【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
移動式触媒注入システムであって、
可搬プラットフォームと、
前記プラットフォームに結合された触媒リザーバであって、流動接触分解ユニットに結合されるように構成された触媒リザーバと、
前記リザーバの出口に結合された流量制御装置であって、前記出口を通って前記流動接触分解ユニットに直接向かう触媒の流れを制御するように構成された流量制御装置と、
前記プラットフォームおよび流量制御装置に結合され、前記流動接触分解ユニット内のプロセス制御に適した、計量された量の触媒を、前記触媒リザーバから分配するプロセス制御装置と、
前記プラットフォームおよび触媒リザーバに結合され、前記触媒リザーバ内の圧力を制御する圧力制御システムと
を備え、前記可搬プラットフォーム、触媒リザーバ、及び流量制御装置が自給型移動式注入システムを構成している、移動式触媒注入システム。
【請求項２】
前記プラットフォームがトレイラである、請求項１に記載のシステム。
【請求項３】
前記プラットフォームがコンテナである、請求項１に記載のシステム。
【請求項４】
前記プラットフォームが貨車である、請求項１に記載のシステム。
【請求項５】
前記プラットフォームがパレットである、請求項１に記載のシステム。
【請求項６】
前記プラットフォームがバージである、請求項１に記載のシステム。
【請求項７】
前記プラットフォームに結合された発電機をさらに備える、請求項１に記載のシステム。
【請求項８】
前記触媒リザーバが、前記プラットフォームに対して相対的に移動可能である、請求項１に記載のシステム。
【請求項９】
前記触媒リザーバと前記プラットフォームとの間に配置された複数のロードセルをさらに備える、請求項１に記載のシステム。
【請求項１０】
前記触媒リザーバから分配された触媒を示す計量を検出するように構成されたセンサをさらに備える、請求項１に記載のシステム。
【請求項１１】
前記触媒リザーバがさらに、
複数の区画と、
前記触媒リザーバ内に配置され、前記区画を結合させるプレナムとを備える、請求項１に記載のシステム。
【請求項１２】
前記複数の区画のうち少なくとも２つの容積が実質的に等しい、請求項１１に記載のシステム。
【請求項１３】
前記複数の区画のうち少なくとも２つの容積が実質的に異なる、請求項１１に記載のシステム。
【請求項１４】
前記複数の区画のうち少なくとも１つの容積が調整可能である、請求項１１に記載のシステム。
【請求項１５】
前記プラットフォームに結合された第２の触媒リザーバであって、前記流動接触分解ユニットに結合されるように構成された第２の触媒リザーバをさらに備える、請求項１に記載のシステム。
【請求項１６】
移動式触媒注入システムであって、
トレイラと、
前記トレイラに結合された触媒リザーバであって、流動接触分解ユニットに結合されるように構成された触媒リザーバと、
前記トレイラおよび触媒リザーバに結合された圧力制御システムと、
前記リザーバの出口に結合された流量制御装置と
を備え、
前記流量制御装置は、前記流動接触分解ユニット内のプロセス制御に適しており、かつ、前記出口を通って前記流動接触分解ユニットに直接向かう、計量された量の触媒の流れを制御するように構成されており、
前記トレイラ、触媒リザーバ、及び流量制御装置が自給型移動式注入システムを構成している、移動式触媒注入システム。
【請求項１７】
前記触媒リザーバがさらに、
複数の区画と、
前記触媒リザーバ内に配置され前記区画を結合させるプレナムとを備える、請求項１６に記載のシステム。
【請求項１８】
前記複数の区画のうち少なくとも１つの容積が調整可能である、請求項１７に記載のシステム。
【請求項１９】
前記プラットフォームと圧力制御システムとに結合された第２の触媒リザーバをさらに備える、請求項１６に記載のシステム。
【請求項２０】
移動式触媒注入システムであって、
コンテナと、
前記コンテナに結合された触媒リザーバであって、流動接触分解ユニットに結合されるように構成された触媒リザーバと、
前記コンテナおよび触媒リザーバに結合された圧力制御システムと、
前記リザーバの出口に結合された流量制御装置と、
を備え、
前記流量制御装置は、前記流動接触分解ユニット内のプロセス制御に適しており、かつ、前記出口を通って前記流動接触分解ユニットに直接向かう、計量された量の触媒の流れを制御するように構成されており、
前記コンテナ、触媒リザーバ、及び流量制御装置が自給型移動式注入システムを構成している、移動式触媒注入システム。
【請求項２１】
前記触媒リザーバがさらに、
複数の区画と、
前記触媒リザーバ内に配置され、前記区画を結合させるプレナムとを備える、請求項２０に記載のシステム。
【請求項２２】
前記複数の区画の少なくとも１つの容積が調整可能である、請求項２１に記載のシステム。
【請求項２３】
前記コンテナと圧力制御システムとに結合された第２の触媒リザーバをさらに備える、請求項２０に記載のシステム。
【請求項２４】
流動接触分解システムにおけるプロセス制御のための方法であって、
１つまたは複数の堅くパイプで接続された触媒注入システムを有する流動接触分解システム内の原油を加工するステップと、
自給型移動式触媒注入システムを前記流動接触分解システムへと輸送するステップと、
前記移動式触媒注入システムを前記流動接触分解システムに結合するステップと、
前記流動接触分解システム内のプロセス制御のために、前記移動式触媒注入システムから前記流動接触分解システム内へと、計量された量の触媒を注入するステップと
を含む方法。
【請求項２５】
前記輸送するステップがさらに、道路、陸上、海上、または航空のうち少なくとも１つによって前記移動式触媒注入システムを移動させるステップを含む、請求項２４に記載の方法。
【請求項２６】
前記１つまたは複数の堅くパイプで接続された触媒注入システムによって分配される触媒以外に必要とされる触媒の必要性を識別するステップをさらに含む、請求項２４に記載の方法。
【請求項２７】
前記輸送するステップが、前記識別された必要性に対応して行われる、請求項２６に記載の方法。
【請求項２８】
前記注入するステップが、前記輸送するステップの完了後少なくとも１時間以内に行われる、請求項２７に記載の方法。
【請求項２９】
前記移動式触媒注入システムの第１の区画内に触媒を保管するステップと、
前記移動式触媒注入システムの第２の区画内に触媒を保管するステップをさらに含む、請求項２４に記載の方法。
【請求項３０】
前記第１および第２の区画の間の容積比を調整することをさらに含む、請求項２９に記載の方法。
【請求項３１】
前記第１および第２の区画に共通のプレナムを加圧することをさらに含む、請求項２９に記載の方法。
【請求項３２】
前記注入するステップがさらに、少なくとも２つの触媒を前記２つの別々の区画から同時に分配するステップを含む、請求項２９に記載の方法。
【請求項３３】
前記注入するステップがさらに、少なくとも２つの触媒を前記２つの別々の区画から順次分配するステップを含む、請求項２９に記載の方法。
【請求項３４】
前記圧力制御システムに結合された発電機を更に備える請求項１６に記載のシステム。
【請求項３５】
前記圧力制御システムに結合された発電機を更に備える請求項２０に記載のシステム。